(57)【要約】【課題】２つの部材が回動可能に連結された回動部材において、回動軸を中心とした２方向の回動を規制することができ、かつ簡便に解除することができるロック機構を備えた回動部材を提供すること。【解決手段】回動部材は、回動軸を中心として相互に回動可能かつ相互に離間可能に連結された第一部材２および第二部材３と、回動軸に交差する進退方向Ａ１に進退可能に第一部材２に結合された係合凸部５２と、第一部材２と第二部材３の間の回動角が目標角にある状態において、係合凸部５２が進退方向Ａ１に沿って侵入可能な受け部として第二部材３に設けられた係合凹部５５と、を有する。係合凹部５５に侵入した係合凸部５２は、第一部材２と第二部材３を相互に離間させる力を印加することで係合凹部５５から脱出される。【選択図】図４
2016199068.tif 000002
【特許請求の範囲】
【請求項１】
回動軸を中心として相互に回動可能かつ相互に離間可能に連結された第一部材および第二部材と、
前記回動軸に交差する進退方向に進退可能に前記第一部材に結合された係合凸部と、
前記第一部材と前記第二部材の間の回動角が目標角にある状態において、前記係合凸部が前記進退方向に沿って侵入可能な受け部として前記第二部材に設けられた係合凹部と、を有し、
前記係合凹部に侵入した前記係合凸部は、前記第一部材と前記第二部材を相互に離間させる力を印加することで前記係合凹部から脱出されることを特徴とする回動部材。
【請求項２】
前記係合凸部および前記係合凹部の一方には、第一磁石が設けられ、他方には、前記第一磁石に吸引される第二磁石または金属が設けられていることを特徴とする請求項１に記載の回動部材。
【請求項３】
前記第一部材および前記第二部材の一方が、前記回動軸とは異なる支持軸によって、重力方向面内で回動可能に支持されていることを特徴とする請求項１または２に記載の回動部材。
【請求項４】
前記回動部材は、乗物用シートに備えられるテーブルを構成し、前記第一部材と前記第二部材の少なくとも一方がテーブル面となることを特徴とする請求項１から３のいずれか１項に記載の回動部材。
【発明の詳細な説明】
【技術分野】
【０００１】
本発明は、回動部材に関し、さらに詳しくは、乗物用シートに備えられるテーブル等を構成するのに用いることができる回動部材に関する。
【背景技術】
【０００２】
ヒンジ等を用いて２枚の板材の間や、支持腕と板材の間等、２つの部材の間を回動可能に連結した折り畳み構造が公知であり、例えば自動車や鉄道車両等の乗物のシートに付属されたテーブルとして使用されている。この種の折り畳み構造においては、テーブルの使用時のように、ヒンジ等で接続された折り畳み部を展開した状態を重力に抗して保持することや、展開時の角度を調節することを目的として、ロック機構が設けられる。この種のロック機構は、例えば特許文献１に開示されている。
【先行技術文献】
【特許文献】
【０００３】
【特許文献１】特開２００２−１５４３６２号公報
【発明の概要】
【発明が解決しようとする課題】
【０００４】
上記のような２つ部材の間がヒンジ等で回動可能に連結された折り畳み構造において、回動角を維持するためのロック機構を備えている場合に、２つの部材の間の回動を一方向にはロック機構の働きで規制できても、反対方向の回動を十分に規制することができない場合が多い。例えば、乗物用シートに設けられたテーブルの場合、テーブル面を略水平に展開した状態で、テーブル面が重力によって垂下しないように規制されていても、テーブル面に下方から上方に力が印加された際には容易にテーブル面が上方に回動しうる。このような状況は、例えばシートに着座した乗員がテーブル面を下から蹴り上げた場合等に発生する。２方向への回動を規制するようなロック機構を設ける場合には、ロック機構が複雑となりがちであり、テーブルを折り畳む際などに、簡便にロックを解除することができなくなる。
【０００５】
本発明が解決しようとする課題は、２つの部材が回動可能に連結された回動部材において、回動軸を中心とした２方向の回動を規制することができ、かつ簡便に解除することができるロック機構を備えた回動部材を提供することにある。
【課題を解決するための手段】
【０００６】
上記課題を解決するために、本発明にかかる回動部材は、回動軸を中心として相互に回動可能かつ相互に離間可能に連結された第一部材および第二部材と、前記回動軸に交差する進退方向に進退可能に前記第一部材に結合された係合凸部と、前記第一部材と前記第二部材の間の回動角が目標角にある状態において、前記係合凸部が前記進退方向に沿って侵入可能な受け部として前記第二部材に設けられた係合凹部と、を有し、前記係合凹部に侵入した前記係合凸部は、前記第一部材と前記第二部材を相互に離間させる力を印加することで前記係合凹部から脱出されることを要旨とする。
【０００７】
ここで、前記係合凸部および前記係合凹部の一方には、第一磁石が設けられ、他方には、前記第一磁石に吸引される第二磁石または金属が設けられていることが好ましい。
【０００８】
また、前記第一部材および前記第二部材の一方が、前記回動軸とは異なる支持軸によって、重力方向面内で回動可能に支持されているとよい。
【０００９】
前記回動部材は、乗物用シートに備えられるテーブルを構成し、前記第一部材と前記第二部材の少なくとも一方がテーブル面となるようにすることができる。
【発明の効果】
【００１０】
上記発明にかかる回動部材においては、回動角が特定の目標角にある状態において、第一部材に設けられた係合凸部が、第一部材と第二部材の間の回動軸に交差する進退方向に沿って、第二部材に設けられた係合凹部に侵入する。第一部材または第二部材が、この目標角から回動軸に対していずれかの方向に回動しようとすると、係合凸部と係合凹部の当接によって、この回動が規制され、ロック機構が作動される。一方、第一部材と第二部材が相互に離間可能に連結されており、これらを離間させる力を印加することで、係合凸部が係合凹部から脱出されるので、第一部材または第二部材を引くような簡便な操作で、ロック機構を解除することができ、第一部材と第二部材の間の回動が再び可能となる。
【００１１】
ここで、係合凸部および係合凹部の一方に、第一磁石が設けられ、他方に、第一磁石に吸引される第二磁石または金属が設けられている場合には、第一磁石と第二磁石または金属の間の吸引力により、第一部材と第二部材の間の回動角が所定の目標角になった際に、係合凸部が自動的に係合凹部に侵入し、第一部材と第二部材の間の回動を規制する。また、両者が吸着することで、回動の規制が強固になる。
【００１２】
また、第一部材および第二部材の一方が、回動軸とは異なる支持軸によって、重力方向面内で回動可能に支持されている場合には、本回動部材を重力方向に対して複数の配置で使用することが可能となる。この際、係合凹部への係合凸部に侵入による回動角の規制は、重力に対する配置によらず作用し、第一部材と第二部材の間の回動角を目標角に維持することができる。
【００１３】
回動部材が乗物用シートに備えられるテーブルを構成し、第一部材と第二部材の少なくとも一方がテーブル面となる場合には、テーブル面において、重力等による下方への回動と、蹴り上げ等による上方へ回動の両方を規制することができる。また、多様な配置での使用や、多目的での使用が行いやすくなる。一方で、テーブルを引くような簡便な動作だけで、規制を解除することができるので、使用後の収納を行いやすいテーブルとなる。
【図面の簡単な説明】
【００１４】
【図１】本発明の一実施形態にかかる回動部材を示す斜視図である。
【図２】上記回動部材の連結部を示す図であり、（ａ）は側面図、（ｂ）は（ａ）中のＡ−Ａ断面図、（ｃ）はＢ−Ｂ断面図である。
【図３】上記連結部を第一部材と第二部材の位置関係ごとに示す側面図である。
【図４】上記回動部材のロック部を第一部材と第二部材の位置関係ごとに示す断面図である。
【図５】乗物用シートに設けられる折り畳みテーブルの例を示す斜視図であり、（ａ）は折り畳み時、（ｂ）は展開時を示している。
【図６】乗物用シートに設けられるアームレスト兼用テーブルの例を示す斜視図であり、（ａ）および（ｂ）はそれぞれ使用法の例を示している。
【図７】上記アームレスト兼用テーブルの回動状態を示す側面図であり、（ａ）〜（ｄ）はそれぞれ異なる状態を示している。
【発明を実施するための形態】
【００１５】
以下、本発明の実施形態にかかる回動部材について、図面を参照しながら詳細に説明する。
【００１６】
［回動部材の構成］
（全体の構成）
図１に、本発明の一実施形態にかかる回動部材１の構成を示す。回動部材１は、平板状の第一部材２と第二部材３を有している。第一部材２および第二部材３の側面を構成する端面の１つ（２ａ，３ｂ）は、断面半円状に形成されており、第一部材２と第二部材３は、上記端面２ａ，２ｂを同じ側に揃えて回動軸側端面として、相互に重ねて配置されている。そして、回動軸側端面２ａ，３ａを挟んで幅方向両側の側面において、連結部４，４によって相互に連結されている。連結部４，４は、第一部材２と第二部材３を、相互に回動可能に、かつ相互に離間可能に連結している。そして、第一部材２および第二部材３の回動軸側端面２ａ，３ａには、２組のロック部５，５が設けられている。ロック部５，５は、第一部材２と第二部材３が回動によって平面状に展開された状態で、回動角が変化するのを規制する役割を果たす。
【００１７】
（連結部材）
ここで、連結部４について説明する。連結部４の構成を図２に示す。また、連結部４の状態の変化を図３に示す。
【００１８】
図２に示すように、連結部４は、１枚のプレート部材４１と、２つの突起部材４２，４３とを有している。２つの突起部材４２，４３は、それぞれ第一部材２および第二部材３の側面に、一体に形成されている。突起部材４２，４３はそれぞれ、軸部４２ａ，４３ａと、頭部４２ｂ，４３ｂとを一体に有している。軸部４２ａ，４３ａは、第一部材２および第二部材３の側面の厚さ方向中央の位置において、側方に突出した軸状の部材である。頭部４２ｂ，４３ｂは、軸部４２ａ，４３ａよりも大径の円盤状の部材であり、軸部４２ａ，４３ａの先端に設けられている。プレート部材４１は、板状の部材であり、２つの長孔状の貫通孔として設けられたガイド孔４１ａ，４１ｂを有している。これら２つのガイド孔４１ａ，４１ｂに、突起部材４２，４３の軸部４２ａ，４３ａが挿通されている。プレート部材４１は、他の部材に固着されていない。
【００１９】
プレート部材４１は、突起部材４２，４３の軸部４２ａ，４３ａの突出長さよりも薄い板厚を有している。そして、ガイド孔４１ａ，４１ｂの幅（図２（ａ）で横方向に示している短軸方向の長さ）は、突起部材４２，４３の軸部４２ａ，４３ａの軸径よりも大きく、かつ頭部４２ｂ，４３ｂの円盤径よりも小さくなっている。これにより、プレート部材４１のガイド孔４１ａ，４１ｂに軸部４２ａ，４３ａを挿通された突起部材４２，４３は、ガイド孔４１ａ，４１ｂから脱出しない状態に保持される。ガイド孔４１ａ，４１ｂの長さ（図２（ａ）で縦方向に示している長軸方向の長さ）は、突起部材４２，４３の軸部４２ａ，４３ａの軸径よりも大きくなっている。これにより、突起部材４２，４３は、ガイド孔４１ａ，４１ｂの中で、長軸方向に相対運動することができる。ガイド孔４１ａ，４１ｂの具体的な長さは、下記にて説明するように、第一部材２と第二部材３の間を離間させてロック部５の係合を解除するために必要な距離を確保できるように定められる。図２（ａ）に示すように、第一部材２と第二部材３を重ねた折り畳み状態において、突起部材４２，４３は、ガイド孔４１ａ，４１ｂの長軸方向に沿って中央よりも内側寄りの部位に配置されている。
【００２０】
図３に、第一部材２と第二部材３の間の位置関係を変化させた際の連結部４の状態を示す。図３（ａ）は、図２に示したのと同様に、第一部材２と第二部材３を重ねて配置した折り畳み状態を示している。プレート部材４１は、ガイド孔４１ａ，４１ｂを第一部材２および第二部材３の板面に垂直にした状態で立っている。突起部材４２，４３は、ガイド孔４１ａ，４１ｂの長軸方向に沿って、中央よりも内側寄りの基本位置に配置されている。この状態から、第一部材２と第二部材３が回動軸側端面２ａ，３ａで相互に接触した状態を維持したまま、第一部材２に対して第二部材３を展開方向Ｄ１に回動させ、展開する。この際、第一部材２の回動軸側端面２ａと第二部材３の回動軸側端面３ａとの接線が回動軸となる。図３（ａ）の折り畳み状態から図３（ｂ）の中途状態を経て、図３（ｃ）の第二部材３が第一部材２と同一平面を構成する展開状態にまで第二部材３が回動される。この間、プレート部材４１も第二部材３の回動に追随して回動され、最終的には、ガイド孔４１ａ，４１ｂが第一部材２および第二部材３の面と平行になる。なお、このような連結部４の構成自体は、図３（ｃ）の展開状態で第二部材３の回動を停止させる要因を有さず、さらに第二部材３を方向Ｄ１に回動させることができるが、次に説明するロック部５の作用によって、これ以上の回動が阻止される。
【００２１】
図３（ｃ）の展開状態においては、第一部材２と第二部材３は、回動軸側端面２ａ，３ａにおいて接触しているが、この状態から、図３（ｄ）のように、回動角を変化させないで、第一部材２と第二部材３の間を離間させる離間方向Ｄ２に沿って、第一部材２および第二部材３の一方、あるいは両方に引張るような力を印加すると、ガイド孔４１ａ，４１ｂの長さの範囲内で、第一部材２と第二部材３が離間する。突起部材４２，４３の軸部４２ａ，４３ａがそれぞれガイド孔４１ａ，４１ｂの長さ方向外側の端縁に当接した状態が、第一部材２と第二部材３が最大に離間した状態に当たる。
【００２２】
このように、本回動部材１においては、長孔状のガイド孔４１ａ，４１ｂを有するプレート部材４１と第一部材２および第二部材３に一体に形成された突起部材４２，４３を用いて、回動軸に対して交差した側面で第一部材２と第二部材３を連結している。これにより、第一部材２と第二部材３を、回動軸を中心として回動可能に、かつ相互に離間可能に、結合することができる。
【００２３】
（ロック部）
次に、ロック部５の構成について説明する。図４（ａ）〜（ｄ）は、それぞれ図３（ａ）〜（ｄ）に対応した状態において、ロック部５の状態を示している。まず、図４（ａ）の折り畳み状態に基づいて、ロック部５の構成を説明する。ロック部５は、第一部材２に設けられた収容凹部５１および係合凸部５２、コイルばね５３、そして第二部材３に設けられた係合凹部５５を有している。
【００２４】
収容凹部５１は、第一部材２に、回動軸側端面２ａから内側に陥没した凹部として形成されている。収容凹部５１は、底部から順に、ばね収容部５１ａ，凸部収容部５１ｂ，凸部通過部５１ｃの３つの径の異なる円筒状の空間が直線状に連結されてなっている。３つの円筒状空間の軸は、第一部材２の回動軸側端面２ａの厚さ方向中央の位置に直交する第一係合軸Ａ１に一致している。凸部収容部５１ｂは、ばね収容部５１ａおよび凸部通過部５１ｃはよりも大きな内径を有している。
【００２５】
係合凸部５２は、円柱状の侵入部５２ｂと、侵入部５２ｂと同軸に一体に形成された円盤状の抜け止め部５２ａとを有している。侵入部５２ｂの外径は、収容凹部５１の凸部通過部５１ｃの内径よりも小さく形成されており、抜け止め部５２ａの外径は、凸部収容部５１ｂの内径よりも小さく、かつばね収容部５１ａおよび凸部通過部５１ｃの内径よりも大きく形成されている。侵入部５２ｂの先端は、永久磁石よりなる第一磁石５６となっている。係合凸部５２は、侵入部５２ｂを開口側、抜け止め部５２ａを底部側に向け、収容凹部５１の凸部収容部５１ｂ内に収容されている。
【００２６】
そして、コイルばね５３は、一端を収容凹部５１の底部に、他端を係合凸部５２の抜け止め部５２ａの端面に結合されている。コイルばね５３の中心軸は、第一係合軸Ａ１に一致している。これにより、係合凸部５２が第一係合軸Ａ１に沿って進退可能に、第一部材２に結合された状態となっている。コイルばね５３が自然長にある状態において、係合凸部５２全体が、収容凹部５１の中に位置している。コイルばね５３が伸縮して係合凸部５２が進退運動することにより、侵入部５２ｂの少なくとも一部は凸部通過部５１ｃを通過して収容凹部５１の外に脱出することができるが、抜け止め部５２ａは凸部収容部５１ｂの中に留まる。
【００２７】
係合凹部５５は、第二部材３の回動軸側端面３ａから内側に陥没した凹部として形成されており、係合凸部５２が侵入する受け部として機能する。係合凹部５５は、係合凸部５２の侵入部５２ｂの外径よりも大きい内径を有し、第二部材３の回動軸側端面３ａの厚さ方向中央の位置に直交する第二係合軸Ａ２に沿った円筒状の空間として形成されている。係合凹部５５の底部には、第一磁石５６と逆の極性を有し、第一磁石５６と吸引し合う永久磁石よりなる第二磁石５７が設けられている。係合凹部５５の深さ、つまり開口部から第二磁石５７の表面までの距離は、後述するように、展開状態において係合凹部５５に侵入した係合凸部５２に設けられた第一磁石５６が、第二磁石５７と接触できるように定められている。
【００２８】
先に説明した連結部４を利用して、第一部材２に対して第二部材３を回動させると、ロック部５は、図４（ｂ）の状態を経て図４（ｃ）のような状態になる。図４（ｂ）のように、展開状態に至るまでの中途状態においては、収容凹部５１と係合凹部５５の位置関係が変化するのみで、係合凸部５２およびコイルばね５３の状態には実質的な変化が生じていない。
【００２９】
しかし、図４（ｃ）のように、第二部材３が第一部材２に対して平面状に展開された展開状態となると、第一係合軸Ａ１と第二係合軸Ａ２が一致し、収容凹部５１と係合凹部５５が直線状に連通される。すると、第一磁石５６と第二磁石５７の間の吸引力によって、係合凸部５２が係合凹部５５の内部空間に向かって引き寄せられ、侵入部５２ｂが凸部通過部５１ｃを通過して収容凹部５１に侵入する。そして、第一磁石５６が第二磁石５７に吸着する。コイルばね５３は、自然長よりも伸張された状態となり、復元力により、係合凸部５２を収容凹部５１内に戻す方向に力を及ぼすが、第一磁石５６と第二磁石５７の間の吸着力をコイルばね５３の復元力よりも大きく設定しておくことで、係合凸部５２が係合凹部５５内に侵入し、第一磁石５６と第二磁石５７が吸着した係合状態が維持される。
【００３０】
係合凸部５２が係合凹部５５に侵入した状態が維持されることで、第二部材３が第一部材２に対して、展開方向Ｄ１や反対方向−Ｄ１に回動しようとしても、係合凸部５２の外周面と係合凹部５５の内壁面の間の当接によって、回動することができない。このようにして、連結部４やロック部５における遊隙分を除いて、第二部材３と第一部材２の間で、±Ｄ１の２方向への回動が規制され、展開状態が強固に維持される。
【００３１】
このように第一部材２に対する第二部材３の回動が規制された図４（ｃ）の展開状態から、回動規制を解除するためには、第一部材２および第二部材３の一方、あるいは両方に、連結部材４のガイド孔４１ａ，４１ｂの長さの範囲内で、離間方向Ｄ２に離間させる力を加えればよい。その力が第一磁石５６と第二磁石５７の間の吸着力とコイルばね５３の復元力の差分を上回っていれば、第一部材２と第二部材３の間の吸着が解除され、第一部材２がコイルばね５３の復元力によって、係合凹部５５を脱出し、収容凹部５１に引き戻される。このようにして、ロック部５における係合が解除され、第一部材２と第二部材３が離間する。すると、再度、第二部材３を第一部材２に対して回動させることが可能となる。
【００３２】
このようなロック部５を、上記のような第一部材２と第二部材３の間の回動および離間を可能とする連結部４と合わせて用いることで、第一部材２と第二部材３の間の回動角が１８０°となった展開状態において、両者の回動状態ロックし、展開方向Ｄ１および反対方向−Ｄ１のいずれの方向にも、回動角が変化するのを規制することが可能となっている。一方で、第一部材２と第二部材３の間に離間方向Ｄ２に力を印加するという単純な操作により、その回動規制を解除し、折り畳み状態に戻す等、回動角を変化させることが可能となっている。このように、本回動部材１においては、回動軸を中心とした双方向の回動の規制と、簡便な規制の解除を、単純な構成によって両立している。
【００３３】
（他の形態）
本発明にかかる回動部材としては、上記で説明した実施形態以外にも、様々な形態が考えられ、様々な物品を構成するのに用いることができる。第一部材２および第二部材３を上記のように板状の部材としておけば、下記にて説明するように、テーブル等に広く用いることができるが、第一部材２および第二部材３は、板状以外にも、種々の形状をとることができる。また、下記で、アームレスト兼用テーブル７０として説明するように、第一部材２および第二部材３のいずれか一方を、第一部材２と第二部材３の間の回動軸とは異なる支持軸で支持するようにし、その支持軸に対して回動可能とすることもできる。すると、ロック部５によって第一部材２と第二部材３の間の回動が展開方向Ｄ１および反対方向−Ｄ１の両方で規制されることを利用して、支持軸に対する姿勢によらず、重力に抗して第一部材２と第二部材３の間の回動を規制することができるので、回動部材１を多様な配置で利用することが可能となる。
【００３４】
ロック部５の構成としても、他の形態が考えられる。まず、上記では、係合凸部５２の表面と係合凹部５５の内部にそれぞれ吸引しあう第一磁石５６と第二磁石５７を設けているが、必ずしも両方が磁石である必要はなく、一方を磁石に吸引される金属（強磁性金属）より構成してもよい。また、上記の実施形態では、係合凸部５２が第一部材２に進退可能に連結され、係合凹部５５に侵入する進退方向が、第一の部材の面に対して１８０°の方向となっていたため、第二部材３が第一部材２に対して１８０°の回動角をとる展開状態で、係合凸部５２が係合凹部５５に侵入し、第一部材２に対する第二部材３の回動が規制された。しかし、１８０°に限らず所定の目標角を定め、係合凸部５２が進退運動し、係合凹部５５に侵入する進退方向をその目標角に一致させておけば、第一部材２と第二部材３の間の回動角がその目標角になった状態で、回動角の変化を規制することができる。また、上記の実施形態では、進退方向が第一部材２と第二部材３の間の回動軸に垂直になっていたが、進退方向が回動軸と交差していれば、必ずしも垂直に交なっていなくても、回動軸を中心とした第一部材２と第二部材３の間の回動を規制することができる。
【００３５】
さらに、上記実施形態においては、係合凸部５２を係合凹部５５に自動的に引き込み、また係合凸部５２が係合凹部５５に侵入した状態を保持する手段として、磁石が用いられたが、必ずしも磁石を用いなくてもよい。例えば、係合凸部５２に、レバー等、外部から操作できる操作部材を結合しておき、第一部材２と第二部材３の間の回動角が目標角にある状態において、使用者がその操作部材を手動操作して、係合凸部５２を進退運動させ、係合凹部５５への侵入／脱出を制御するようにしてもよい。
【００３６】
［乗物用シートのテーブルとしての使用］
本発明の上記実施形態にかかる回動部材１は、乗物用シートに設けられるテーブルを構成する部材として、好適に利用することができる。第一部材２および第二部材３の一方または両方をテーブル面として使用するようにすればよい。乗物用シートにおいては、テーブルを配置できる空間が制限されるので、第一部材２と第二部材３の間の回動を利用して、折り畳み状態と展開状態を選択することで、収容にも使用にも利便性の高いテーブルを設けることができる。また、ロック部５によって第一部材２と第二部材３の間の回動角を所定の目標角に保持することができるので、乗物からの振動の伝達や乗員や荷物等との接触を受けても、回動状態が変化しにくく、特に高い利便性が得られる。以下に、２とおりのテーブルとしての使用例を示す。
【００３７】
（折り畳みテーブル）
第一の例として、テーブルとしての専用に乗物用シートＳに設けられた折り畳みテーブルを図５に示す。
【００３８】
折り畳みテーブル１は、上記で説明した実施形態にかかる回動部材１と同様の構成を有しており、上記のような連結部４とロック部５とを有している。折り畳みテーブル１は、乗物用シートＳの両脇に設けられたアームレストＳ１，Ｓ２の一方（ここではシートＳに対して左側のアームレストＳ１とする）に第一部材２が取り付けられ、他方のアームレストＳ２との間に第一部材２を幅方向に渡すようにして配置される。折り畳みテーブル１は、図５（ａ）の折り畳み状態において、ロック部５が設けられた第一部材２および第二部材３の回動軸側端面がシートＳの前方側に向くように、また第二部材３が第一部材２の上側になるように配置されている。折り畳みテーブル１は、シートＳの幅方向外側に向けて回動可能にアームレストＳ１に取り付けられており、不使用時には、図５（ａ）のように折り畳み状態とし、さらに、シートＳの幅方向外側に回動させることで、乗員の邪魔になりにくい状態としておくことができる。
【００３９】
折り畳みテーブル１を使用する際には、２つのアームレストＳ１，Ｓ２の間に渡した折り畳みテーブル１の第二部材３を前方に回動させると、図５（ｂ）のように、第二部材３が第一部材２に対して平面状になった展開状態で、ロック機構が作動して第二部材３の回動が規制され、展開状態にロックされる。すると、第二部材３の自重や第二部材３の上に載置した物品の重量によって、第二部材３が下方にさらに回動するのが防止される。また、シートＳに着座した乗員による蹴り上げ等によって、第二部材３が下から上に向かう力を受けても、上方に回動するのが防止される。この状態から、乗員が第一部材２または第二部材３を相互に離間させるように引張れば、ロックが解除され、再び図５（ａ）の折り畳み状態に戻すことができる。なお、広いテーブル面を必要としない時には、図５（ａ）のように、第二部材３を折り畳み状態としたまま、第二部材３の板面のみをテーブル面として使用することもできる。
【００４０】
（アームレスト兼用テーブル）
第二の例として、乗物用シートＳに設けられたアームレスト兼用テーブル７０を図６，７に示す。
【００４１】
アームレスト兼用テーブル７０は、折り畳み状態においてこの順に重ねられた第一部材７２、第二部材７３、第三部材７４を有している。第一部材７２と第二部材７３に、上記実施形態にかかる回動部材１の構成が用いられており、上記のような連結部（不図示）とロック部７５を備えている。第二部材７３と第三部材７４の間は、一方向への回動を規制する一般的なヒンジ７７によって連結されている。図７（ａ）に示すように、第二部材７３において、ロック部７５が設けられているのと同じ側の端縁に、第三部材７４がヒンジ７７によって連結されている。ヒンジ７７は、図７（ｂ）に示すように、第二部材７３と第三部材７４の間の角度が所定の角度（図では約１３５°）よりも大きくならないように、第三部材７４の回動を規制する。第一部材７２は、平板状に形成されているが、第二部材７３は、折り畳み状態において第三部材７４側となる面から内側に掘り込まれた収納部７３ａを備えている。また、第三部材７４は、折り畳み状態で外側となる面に、クッション材７４ａを備えるとともに、反対側の面に鏡７４ｂを備えている。そして、第二部材７３および第三部材７４には、折り畳み状態において相互に接触する位置に、互いに吸着する磁石対７３ｂ，７４ｃが設けられている。
【００４２】
アームレスト兼用テーブル７０は、図６（ａ）のように、第一部材７２に連結された取り付け部材７６を介して、シートＳの一方のアームレストＳ１に取り付けられている。取り付け部材７６は、略鉛直方向の第一支持軸Ａ３を中心に回動可能にアームレストＳ１に取り付けられている。これにより、アームレスト兼用テーブル７０は、略水平方向Ｄ３に回動可能となっている。また、アームレスト兼用テーブル７０は、第一部材７２において、略水平方向の第二支持軸Ａ４を中心に回動可能に取り付け部材７６に連結されている。これにより、アームレスト兼用テーブル７０は、略鉛直方向Ｄ４に回動可能となっている。
【００４３】
アームレスト兼用テーブル７０は、第一部材７２、第二部材７３、第三部材７４の間の回動状態と、２つの支持軸Ａ３，Ａ４を中心とした全体の回動状態を選択することで、多様な方法で使用することができる。まず、図７（ａ）のように、第一部材７２、第二部材７３、第三部材７４を全て重ねた折り畳み状態において、クッション材７４ａを設けた第三部材７４を上方に配置すれば、アームレストとして使用することができる。この際、第一支持軸Ａ３を中心とした回動方向を調整することで、シートＳの側方にアームレスト兼用テーブル７０を配置すれば、シートＳに着座した乗員は、身体の横方向で腕を載置することができる。一方、図６（ａ）のようにシートＳの前方にアームレスト兼用テーブル７０を配置すれば、乗員は身体の前方で腕を載置することができる。
【００４４】
次に、折り畳み状態から、図７（ｂ）のように、第三部材７４を第二部材７３に対して回動させると、第三部材７４がヒンジ７７によって定まる所定の角度だけ開いた状態で、第三部材７４の回動状態が保持される。これにより、第三部材７４の鏡７４ｂを設けた面が現れるので、第一支持軸Ａ３を中心とした回動によってシートＳの前方にアームレスト兼用テーブル配置すれば、着座者は、着座姿勢のままで、鏡７４ｂに映った自らの顔を見ることができる。また、第二部材７３に設けた収納部７３ａに物品を収納したり、収納しておいた物品を取り出したりすることができる。
【００４５】
一方、折り畳み状態から、図７（ｃ）のように、第三部材７４を伴って第二部材７３を第一部材７２に対して回動させると、第二部材７３が第一部材７２に対して平面状に展開された状態で、ロック部７５によって、第一部材７２と第二部材７３の間の回動が規制される。この状態で、上方に向いている第一部材７２および第二部材７３の板面を連続したテーブル面として使用することができる。第一支持軸Ａ３を中心とした回動によって、このテーブル面は、シートＳ側方およびシートＳ前方のいずれの配置でも使用することができる。この状態において、第三部材７４が第二部材の下側に配置されているが、第二部材７３と第三部材７４の間に磁石対７３ｂ，７４ｃが設けられていることにより、第三部材７４が第二部材７３に対して重力によって展開されてしまうのが防止される。これによって、第三部材７４が第二部材７３に設けた収納部７３ｂの蓋としての機能を維持し、収納部７３ｂに収容された物品が落下するのが防止される。
【００４６】
さらに、図７（ｃ）のように第二部材７３を第三部材７４に対して展開させた状態において、第二支持軸Ａ４を中心とした回転（方向Ｄ４）を利用して、アームレスト兼用テーブル７０を重力方向面内で１８０°回転させると、図７（ｄ）のように、第一部材７２の面と、第三部材７４のクッション材７４ａの面が、隣接して上方に向いた状態となる。この状態において、アームレスト兼用テーブル７０をクッション付きテーブルとして使用することができる。例えば、第一支持軸Ａ３によってアームレスト兼用テーブル７０をシートＳの前方に配置し、クッション材７４ａがシートＳの内側に向くようにすれば、図６（ｂ）のように、シートＳに着座した乗員が、クッション材７４ａに手を載せた状態で、第一部材７２の面に載置したノート型パソコン等の機器ＰＣを操作することができる。
【００４７】
本アームレスト兼用テーブル７０においては、第一部材７２と第二部材７３の間に設けられたロック部７５が、第一部材７２と第二部材７３の間の回動を２方向で規制するので、面の方向が重力方向に１８０°異なる図７（ｃ）の状態でも、図７（ｄ）の状態でも、第一部材７２に対する第二部材７３の上下両方向への回動を規制することができる。よって、第一部材７２の表裏両面をテーブル面として利用することができる。なお、鏡７４ｂや収納部６３ａを設けず、アームレストおよびテーブルとしての用途にのみ使用する場合には、第三部材７４は設けなくてもよく、第一部材７２と連結した第二部材７３の上面に直接クッション材を設けるようにすればよい。
【００４８】
以上、本発明の実施形態について詳細に説明したが、本発明は上記実施形態に限定されるものではなく、本発明の要旨を逸脱しない範囲で種々の改変が可能である。
【符号の説明】
【００４９】
１              回動部材（折り畳みテーブル）
２              第一部材
２ａ            第一部材の回動軸側端面
３              第二部材
３ａ            第二部材の回動軸側端面
４              連結部
４１            プレート部材
４１ａ，４１ｂ  ガイド孔
４２，４３      突起部材
５              ロック部
５１            収容凹部
５１ａ          ばね収容部
５１ｂ          凸部収容部
５１ｃ          凸部通過部
５２            係合凸部
５２ａ          抜け止め部
５２ｂ          侵入部
５３            コイルばね
５５            係合凹部
５６            第一磁石
５７            第二磁石
７０            アームレスト兼用テーブル
７２            第一部材
７３            第二部材
７３ａ          収納部
７４            第三部材
７４ａ          クッション材
７４ｂ          鏡
７５            ロック部
７６            取り付け部材
７７            ヒンジ
【図１】
2016199068.tif 000003
【図２】
2016199068.tif 000004
【図３】
2016199068.tif 000005
【図４】
2016199068.tif 000006
【図５】
2016199068.tif 000007
【図６】
2016199068.tif 000008
【図７】
2016199068.tif 000009